(57)【要約】      （修正有）【課題】トリマーや茶刈り機などの刈込み機に設けられている櫛刃の刃面を、効率良く、楽に、しかも、熟練者でなくても、良い切れ味になるように研磨できる、ハンディタイプで電動式の櫛刃研磨機を提供する。【解決手段】ハンディタイプの電動モータ装置の前端部から下方又は前下方に向けて突出させた出力軸に研磨ディスクが装着された研磨機本体に、装着装置を介して、櫛刃面に押し当てて手持ちした研磨機本体を支持させるガイド面を有するガイド部材が装着されており、前記装着装置は、連結軸と、電動モータ装置から下方位置において連結軸の後部を軸回動調整可能に保持させる連結軸保持機構と、連結軸の前端部をガイド部材に水平回動調整可能に装着させるガイド部材装着機構とを有し、ガイド部材の略中央の後端部から前方途中部に向けた個所には、連結軸を軸心にして傾斜姿勢にした研磨機本体の研磨ディスク前部が突入する空間部が形成される。【選択図】図１
0003125402.tif 000002
【実用新案登録請求の範囲】
【請求項１】
トリマー、茶刈り機などの刈込機に設けられている櫛刃の刃面を研磨する電動式の櫛刃用研磨機であり、
電動モータを内蔵したハンディタイプの電動モータ装置の前端部から下方又は前下方に向けて突出させた出力軸に研磨ディスクが装着された研磨機本体に、装着装置を介して、櫛刃面に押し当てて手持ちした研磨機本体を支持させるガイド面を有するガイド部材が装着されており、
前記装着装置は、連結軸と、電動モータ装置の下方位置で連結軸の後部を軸回動調整可能に保持させる連結軸保持機構と、前方に向けられた連結軸の前端部をガイド部材に水平回動調整可能に装着させるガイド部材装着機構とを有し、
ガイド部材の略中央の後端部から前方途中部に向けた個所には、連結軸を軸心にして傾斜姿勢にした研磨機本体の研磨ディスク前部が突入する空間部が形成され、
研磨ディスク前部の前記空間部内に向けた突入と、この突入の解除が可能になるように、研磨機本体又はガイド部材の前後位置が調整可能に構成されていることを特徴とする櫛刃用研磨機。
【請求項２】
ガイド部材の櫛刃面に押し当てるガイド面が左右に振り分けられて形成されている請求項１に記載の櫛刃用研磨機。
【請求項３】
研磨ディスク前部のガイド部材に向けた突入とその解除が、連結軸保持機構による連結軸の前後方向に向けた保持位置の調整、装着部材の伸縮、連結軸前端部とガイド部材とによる装着位置の前後調整、のいずれかによりより行なわれるように構成されている請求項１又は２の櫛刃用研磨機。
【請求項４】
ガイド部材が左右スライド調整可能に構成されている請求項１乃至３のいずれかに記載の櫛刃用研磨機。
【考案の詳細な説明】
【考案の詳細な説明】
【技術分野】
【０００１】  本考案は、トリマー、茶刈り機などの刈込み機に設けられている櫛刃の刃面を研磨する櫛刃用研磨機に関する。
【背景技術】
【０００２】  刈込み用の櫛刃を備える刈込み機に、トリマー、茶刈り機などがある。
トリマーは、ハンディタイプの電動モータ又は小型エンジンの前端部から前方直線方向に向けて上下２枚の櫛刃を重ね合わせた櫛刃装置の基部が装着されて、上下２枚の櫛刃を前後方向に交互に摺動させて、生垣や芝などを刈り取る小型の刈込み機である。
茶刈り機は、動力源であるエンジンに円弧状を有する上下２枚の重ね合わせた櫛刃の基部が片支持され、エンジン側と櫛刃の先端側に手持ち用ハンドルが装着されて、手持ち用ハンドルを各１人の作業者が手に持ち、上下の櫛刃を円弧方向に交互に摺動させて、茶葉を刈り込む作業機である。【０００３】  これらの刈込み機の櫛刃は、その使用により、刃先の磨耗、刃先の欠けなどが発生して、櫛刃の切れ味が大幅に悪くなる。そこで、櫛刃の切れ味が悪くなったときには、櫛刃の刃面を研磨して切れ味の良い刃先にする必要がある。【０００４】  従来、櫛刃の刃面の研磨は、平やすり，砥石などを用いた手作業による方法、電動モータ装置の出力軸先端部に研磨ディスクが装着された電動式の研磨機を片手で持って、高速回転する研磨ディスクを刃面に接触させる方法などで行なわれていた。
【考案が解決しようとする課題】
【０００５】  しかしながら、平やすりや砥石などを用いて櫛刃の刃面の研磨作業を行う方法は、研磨作業時間が長くなり、手も疲れるという点において非効率的であり、しかも、手持した平やすりを刃面に沿った同じ向きで往復させて研磨する作業は、熟練を要し、上手に研磨しなければ、刃先が欠けたり、切れ味の悪い刃角になって、研磨する以前よりも更に切れ味が悪くなることもある。
【０００６】  また、上記従来技術による電動式研磨機を用いて櫛刃の刃面を研磨する場合にも、電動モータ装置を手持ちして、研磨ディスク面を櫛刃の刃面に合わせた姿勢を維持し続けることは、容易ではなく、手も疲れる。
【０００７】  本考案は、このような不具合を無くし、トリマーや茶刈り機などの刈込み機に設けられている櫛刃の刃面を、効率良く、楽に、しかも、熟練者でなくても、良い切れ味になるように研磨できる、ハンディタイプで電動式の櫛刃研磨機を提供することを課題とする。
【課題を解決する手段】
【０００８】  本考案の請求項１による櫛刃用研磨機は、トリマー、茶刈り機などの刈込機に設けられている櫛刃の刃面を研磨する電動式の櫛刃用研磨機であり、
電動モータを内蔵したハンディタイプの電動モータ装置の前端部から下方又は前下方に向けて突出させた出力軸に研磨ディスクが装着された研磨機本体に、装着装置を介して、櫛刃面に押し当てて手持ちした研磨機本体を支持させるガイド面を有するガイド部材が装着されており、
前記装着装置は、連結軸と、電動モータ装置から下方位置で連結軸の後部を軸回動調整可能に保持させる連結軸保持機構と、前方に向けられた連結軸の前端部をガイド部材に水平回動調整可能に装着させるガイド部材装着機構とを有し、
ガイド部材の略中央の後端部から前方途中部に向けた個所には、連結軸を軸心にして傾斜姿勢にした研磨機本体の研磨ディスク前部が突入する空間部が形成され、
研磨ディスク前部の前記空間部内に向けた突入と、この突入の解除が可能になるように、研磨機本体又はガイド部材の前後位置が調整可能に構成されていることを特徴とする。
【０００９】  本考案の櫛刃用研磨機は、片手で持った電動モータ装置の研磨ディスクを高速回転させて、研磨ディスクの両面に形成されている研磨面の何れか一方の面で、櫛刃の刃面を研磨する、ハンディタイプの櫛刃用研磨機である。
ガイド部材は、その研磨の際に、ガイド面を櫛刃面に押し当てることによって、櫛刃用研磨機全体の姿勢を安定させるために用いられ、研磨の際には、研磨ディスクを櫛刃の刃角と刃面の傾斜角に合わせた方向に傾斜させ、研磨ディスクの前部をガイド部材に形成された空間部内に突入させるようにする。ガイド面による櫛刃面に向けた押し当ては、櫛刃の上面が操作し易い点において好ましいとされるが、櫛刃の下面を押し当てるようにしてもよく、また、上下２段のガイド面によって、上下２枚の櫛刃を上下方向から挟みつける押し当てにしてもよい。
【００１０】  空間部は、ガイド部材の後端中央個所から前方に向けて横に幅広く形成されて、茶刈り機の櫛刃のように大きく円弧状に沿った櫛刃面にも、ガイド部材を安定させて押し付けることが出来、左右のガイド面の間に空間を通じて、研磨する刃面を見ながら研磨作業が出来るようにしてある。
【００１１】  上述したように、研磨ディスクで櫛刃の刃面を研磨する際には、研磨ディスクを、櫛刃の刃角と、刃面の傾斜角に合わせた３次元方向に傾斜させる必要があり、本考案の櫛刃用研磨機では、研磨ディスクの３次元方向の傾斜に合わせた向きの調整が、ガイド部材装着機構による研磨機本体の水平回動調整と、連結軸保持機構による連結軸の軸心にした研磨機本体の回動調整とで行なえるようにした。そして、これらの向きに合わせた調整後の係止が、ガイド部材装着機構と連結軸保持機構を構成するボルトとナットの締付け操作で行なえるようにした
【００１２】  櫛刃には、各刃の中央から左右対称になる向きに刃面が形成されているため、反対側の刃面を研磨する場合には、研磨機本体とともに研磨ディスクの向きを変える必要があり、この研磨ディスクの向きを変える調整も、上記水平回動調整と、連結軸を軸心にした回動調整で行なえるようにした。
そして、これらの調整をする際に、研磨ディスクの前部を、ガイド部材の空間部に突入させた状態から、一旦、後方に解除させて、研磨ディスクの向きを変えるときにガイド部材が邪魔にならないようにした
【００１３】  請求項２の櫛刃用研磨機では、さらに、ガイド部材における櫛刃面に押し当てるガイド面が左右に振り分けられて形成されている。
【００１４】  ガイド部材に形成された空間部はガイド面にも形成されているが、櫛刃に空間部が形成されたガイド面を押し当てた場合に、ガイド面の空間部前方の部分が研磨の邪魔になり易い。このため、請求項２の櫛刃用研磨機では、ガイド面を左右に振り分けて形成して、左右のガイド面を独立させた。
【００１５】  請求項３の櫛刃用研磨機では、請求項１又は２の櫛刃用研磨機において、研磨ディス前部のガイド部材に向けた突入とその解除が、連結軸保持機構による連結軸の前後方向に向けた保持位置の調整、装着部材の伸縮、連結軸前端部とガイド部材とによる装着位置の前後調整、のいずれかによりより行なわれるように構成されている。
【００１６】  連結軸保持機構による連結軸の前後方向に向けた保持位置の調整は、例えば、ボルト、ナットによる締結力を緩める操作を行って、連結軸保持部材にに保持されている連結軸の保持力を一旦緩めて、連結軸を前後に移動させることにより可能となる。
装着部材の伸縮は、例えば、連結軸自体を伸縮可能な２重構造にすることにより可能となる。
連結軸前端部とガイド部材とによる装着位置の前後調整は、例えば、ガイド部材におけるガイド面下方に形成されている水平の下板面に前後方向に長い長孔を形成して、この長孔内にボルトを挿入して連結軸前端部を装着して、ナットでボルトを締め付ける構造にすれば、ナットを一旦緩める操作をすることで、ガイド部材を前後に移動させることができる。
【００１７】  請求項４の櫛刃用研磨機では、請求項１乃至３のいずれかに記載の櫛刃用研磨機において、ガイド部材が左右スライド調整可能に構成されている。
【００１８】  ガイド部材の左右スライドは、別の言い方をすれば、ガイド部材を基準にして研磨機本体を左右スライドさせることができることである。研磨機本体を左右にスライド調整させる目的は、適切な研磨位置に合わせるためにある。
ガイド部材の左右スライド調整は、連結軸とともに行なう構造にしてもよく、また、連結軸前端部とガイド部材とによる装着構造において、左右にスライド調整できるようにしてもよい。
前者の構造は、例えば、電動モータ装置の下方に左右に向けたレールを装着して、該レールに後部装着装置を左右スライド可能に装着する構造が挙げられる。
後者の構造は、例えば、ガイド部材の下部を形成している水平の下板面に、左右方向に長い長孔を形成して、この長孔内にボルトを挿入させて、該ボルトと連結軸前端部によって前記下板面を挟み付ける方向にハンドル付ナットを締付ける構造が挙げられる。
【考案の効果】
【００１９】  本考案の請求項１による櫛刃用研磨機は、電動モータで高速回転する研磨ディスクで、櫛刃の刃面が研磨出来るため、研磨作業が、楽に効率良く行える。
【００２０】  とくに、本考案の櫛刃用研磨機には、櫛刃面に押し当てるガイド面を有するガイド部材を前端部に設けた結果が、手持ちした櫛刃用研磨機の姿勢をさらに安定させることが出来るようになった。
【００２１】  また、本考案の櫛刃用研磨機では、電動モータ装置に研磨ディスクを装着した研磨機本体を水平回動調整させたり、連結軸を軸心にして回動調整させることが出来るように構成した結果、研磨ディスクを刃角及び刃面の傾斜角に合わせた最適な位置に調整して、ガイド部材で姿勢を安定させながら、刃面の研磨が行なえるようになった。
【００２２】  また、本考案の櫛刃用研磨機では、ガイド部材の中央後部から前方途中部に向けて、研磨ディスク前部が突入する空間部を形成した結果、茶刈り機の櫛刃のように大きく円弧状に沿った櫛刃面でもガイド部材を安定して押し付けることが出来、左右のガイド面の間から、研磨する刃面と研磨ディスクの前部を見ながら研磨作業が出来るようになった。
【００２３】  さらに、本考案の櫛刃用研磨機では、研磨ディスク前部によるガイド部材の空間部内に向けた突入と、この突入の解除が可能になるように構成した結果、向きの異なる刃先を研磨する際に行なわれる研磨ディスクの向きを変える操作が、ガイド部材が邪魔にならないガイド部材後方位置で、容易に行なえるようになった。
【００２４】  以上の様々な効果を奏する本考案の櫛刃用研磨機は、研磨に不慣れな初心者でも、楽に操作出来、切れ味の良い刃に研磨することが出来る。
【００２５】  本考案の請求項２による櫛刃用研磨機では、ガイト部材の櫛刃面に押し当てるガイド面を、左右に振り分けて形成した結果、左右のガイド面を茶刈り機に設けられている円弧状に沿った櫛刃面に、更に安定させて押し付けることが出来るようになり、また、左右のガイド面の間から、研磨する刃面と研磨ディスクの前部が更に見え易くなり、研磨作業が更に容易に行なえるようになった。
【００２６】  本考案の請求項３による櫛刃用研磨機では、研磨ディスク前部のガイド部材に向けた突入とその解除が、連結軸保持機構による連結軸の前後方向に向けた保持位置の調整、装着部材の伸縮、連結軸前端部とガイド部材とによる装着位置の前後調整、のいずれかによりより行なわれるように構成した結果、ガイド部材を連結軸から取外すことなく容易に、研磨ディスクとガイド部材の前後移動調整が行なえるようになった。
【００２７】  本考案の請求項４の櫛刃用研磨機では、ガイト部材を左右スライド調整可能に構成した結果、研磨ディスクとガイド部材との横方向の位置を調整して、研磨ディスクを研磨作業し易い位置にすることが出来るようになった。
【考案を実施するための最良の形態】
【００２８】  本考案を実施するための最良の形態は、次の実施例の櫛刃用研磨機である。
【実施例１】
【００２９】  図１は本考案実施例による櫛刃用研磨機の使用前の姿勢を斜視図で示し、図２は櫛刃用研磨機に装着されている装着装置を、装着装置前端部に装着されているガイド部材とともに分解斜視図で示している。【００３０】  図１に示す本考案実施例による櫛刃用研磨機１は、トリマー及び茶刈り機などの刈込み機に設けられている櫛刃の刃面を研磨する電動式の櫛刃用研磨機であり、電動モータＭを内蔵した家庭用１００Ｖ電源で駆動するハンディタイプの電動モータ装置２Ａの出力軸３に研磨ディスクＤが装着された研磨機本体２に、装着装置５を介して、ガイド部材２０が装着されたもので構成されている。【００３１】  出力軸３は、電動モータ装置２Ａを手で持って水平に向けたときに、電動モータ装置２Ａの前部において下方又は前下方に向けられており、研磨ディスクＤは装着冶具４を介して出力軸３に装着されている。
研磨ディスクＤは、円板面の両面に研磨面Ｄａ，Ｄｂが形成されたものが用いられ、研磨面Ｄａ，Ｄｂは、耐磨耗性に優れるダイヤモンド微粒子が固定されたものが最適とされる。【００３２】  図１及び図２に示すように、ガイド部材２０は、手持ちした櫛刃用研磨機１の前端部を櫛刃の刃面に押し付けて、研磨機本体２の姿勢を安定させる矩形を有する左右のガイド面２３Ｒ，２３Ｌと、装着装置５の前端部を装着させる下板面２１と、左右のガイド面２３Ｒ，２３Ｌと、下板面２１との間に位置する背板面２２Ｌ，２２Ｒとが一体形成された、側面視において略コ字形状を有する、丈夫な金属板加工品で形成されている。【００３３】  下板面２１中央の前端部は、前方に向けて略半円弧状に突出しており、この突出した面の中央にボルト挿入孔２１ｂが形成されている。そして、下板面２１の前縁部から側縁部の後端に至る個所には、補強用のリブ２１ｃが下方に向けて形成されている。尚、補強用のリブ２１ｃを設けないで、下板面２１を肉厚にしても良い。【００３４】  左右のガイド面２３Ｌ，２３Ｒ及び左右の背板面２２Ｌ，２２Ｒの各間隔は、左右各方向に傾斜させた研磨ディスクＤの前部をガイド部材２０内に突入させることができる間隔であり、ガイド部材２０全体から見ると、空間部２２ａとなっている。この空間部２２ａは、下板面２１の中央面にまで至り、左右の背板面２２Ｌ，２２Ｒの対向縁は、夫々研磨ディスクＤの傾斜に対応させた形状になっている。【００３５】  左右の背板面２２Ｌ，２２Ｒの外側に位置する側縁部と下板面２１の両側縁部の後部分とは、前後方向に幅の狭い補強板２４Ｌ，２４Ｒで接続されて、下板面２１と、左右の背板面２２Ｌ，２２Ｒの補強がなされている。【００３６】  ガイド面２３Ｌ，２３Ｒと下板面２１とは平行であり、左右のガイド面２３Ｌ，２３Ｒの各中央面には、矩形の窓２３ａ，２３ａが形成されている。
ガイド部材２０は以上のように形成されている。【００３７】  図３は本発明実施例による櫛刃用研磨機の使用前の姿勢を平面図で示し、図４は同じく底面図で示し、図５は同じく正面図で示し、図６は同じく側面断面図で示している。【００３８】  図１乃至図６に示すように、装着装置５は、丈夫な金属軸で形成された連結軸８と、ボルト１３，ハンドル付ナット１２，連結軸８の後端部を保持させることができる半割り形状の連結軸保持部材１１からなる連結軸保持機構と、連結軸８の前端部に固定されている取付台９，取付台９の下面から下方に突出されているボルト部９ａ，ハンドル付ナット１４からなるガイド部材装着機構と、によって構成されている。【００３９】  カバー６の上面には、該カバー６を電動モータＭの先端部下面にビス止めするためのねじ挿入孔６ａ，６ａ，６ａが形成されており、該カバー６は、図６に示すように、ねじ１５，１５，１５を用いて、電動モータ装置２Ａの下面に装着されている。【００４０】  レール７は、底板面７ａの前端縁部と後端縁部に沿った個所が上方に立上げられて立設面７ｂ，７ｂが形成された側面視凹形状を有し、底板面７ａ中央に左右方向に長い長孔７ｃが開設された丈夫な金属製のレールであり、レール７の上端縁部とカバー６の下縁部とが溶接により固定されている。【００４１】  連結軸保持部材１１の半割りされた上下面１１ｃ，１１ｄにはボルト孔１１ｅ，１１ｅが形成されており、レール７上方からレール７に形成されている長孔７ｃ内に突入させてレール７下方に突出させたボルト１３の途中部を、前記ボルト孔１１ｅ，１１ｅ内に挿入し、更に下方に突出させたボルト１３の先端部にハンドル付ナット１２を螺装する方法で、連結軸保持部材１１がレール７の下面に装着されている。
そして、ハンドル部１２ａの締結前に、連結軸保持部材１１の連結軸保持部１１ａ内に連結軸８の後部を挿入し、その後、ハンドル部１２ａを締付け方向に操作して、連結軸８の後部を連結軸保持部材１１に保持させる。このようにして、連結軸保持部材１１を介して連結軸８の後端部がレール７に装着されている。尚、ハンドル部１２ａの操作時にボルト１３が空回りするの防ぐため、図６に示すように、ボルト１３の頭部を回止め部材１６で保持させることが好ましい。【００４２】  連結軸８の前端部は、ガイド部材２０の背板面２２Ｌ，２２Ｒの間に形成されている空間部２２ａから下板面２１上方に向けて突入させて、連結軸８の前端部に固定されている取付台９を介して、該取付台９から下方に突出するボルト部９ａを下板面２１に形成されているボルト挿入孔２１ｂ内に挿入させて、下板面２１下方位置でボルト部９ａの先端部にハンドル付ナット１４を螺装させて、ハンドル部１４ａを締付け方向に操作するという方法で、ガイド部材の上面に装着されている。【００４３】  櫛刃用研磨機１は以上に述べた構成を有しており、ハンドル付ナット１２のハンドル部１２ａを手で持ってボルト１３を緩める方向に操作すると、連結軸保持部材１１による連結軸８の締付け力が弱まり、連結軸８を前後に移動調整させたり、連結軸保持部材１１とともに研磨機本体２を、連結軸８を軸心にして左右に傾斜させることができるようになる。【００４４】  また、ハンドル部１２ａを緩める方向に操作すると、連結軸保持部材１１をレール７に形成されている長孔７ｃの範囲内で左右方向にスライド移動させることができる。このようにして、ガイド部材２０を、連結軸保持部材１１及び連結軸８とともに左右方向にスライド移動させることができる。【００４５】  図１、図３乃至図６では、研磨ディスクＤをガイド部材２０の後方に移動させた、櫛刃用研磨機１の使用前の状態を示している。【００４６】  図９は櫛刃研磨機による櫛刃の片側の刃面を研磨する姿勢を平面図で示し、図１０は同じく正面図で示し、図１１は櫛刃研磨機による櫛刃の反対側の刃面を研磨している状態を平面図で示し、図１２は同じく正面図で示している。【００４７】  図９に示すように、櫛刃装置３０は、上下に重ね合わされた２枚の櫛刃３１，３２の中央面がホルダ３３で挟み付けられて組み付けられたものであり、櫛刃３１，３２の刃先角Ｒ１は、例えば、２５°に設定されている。
図１０に示すように、上下２枚の櫛刃３１，３２の刃面３１ａ，３１ｂ、３２ａ，３２ｂの刃角Ｒ２は、例えば、４５°に設定されている。【００４８】  本考案実施例による櫛刃研磨装置１を用いて各櫛刃３１，３２の刃面３１ａ，３１ｂ、３２ａ，３２ｂを研磨する場合には、上下の櫛刃３１，３２の位置をずらして、研磨し易い状態にする。
そして、研磨機本体２を、図９及び図１０、又は図１１及び図１２に示すように、左右何れかの方向に傾斜させ、研磨ディスクＤをガイド部材２０の空間部２２ａ内に突入させた状態で行なう。【００４９】  例えば、図９及び図１０に示すように、上側の櫛刃３１の研磨において、作業者から見て右側の刃面３１ａを研磨する場合には、研磨ディスクＤをこの刃面３１ａに沿った刃先角Ｒ１及び刃角Ｒ２に合うように、３次元方向に傾斜させる。【００５０】  そして、電動モータ装置２Ａを片手で持ち、左右のガイド面２３Ｌ、２３Ｒの間に上部側の櫛刃３１の１つの刃が位置するように位置合わせをして、各左右のガイド面２３Ｌ、２３Ｒを上部の櫛刃３１の上面に沿わせ、さらに、ガイト面２３Ｌ、２３Ｒの各先端部をホルダ３３の側縁に当接させた状態にする。【００５１】  そして、電動モータ装置２Ａの電源をＯＮさせ、ガイド面２３Ｌ，２３Ｒを櫛刃３１の上面に押し付けた状態にして、手持ちした櫛刃用研磨機１の姿勢を安定させた状態で、高速回転する研磨ディスクＤの下面側の研磨面Ｄａを刃面３１ａに押し付けて、櫛刃面３１ａを研磨する。【００５２】  研磨作業は、左右に振り分けられたガイド面２３Ｌ、２３Ｒの間に形成されている空間Ｓを通じて、刃面３１ａと研磨ディスクＤを見ながら行ない、この刃面３１ａの研磨を終えると、櫛刃用研磨機１を移動させて、隣の刃先の同じ向きの刃面３１ａを研磨する。このようにして、櫛刃３１の各刃面３１ａ，３１ａ・・を順に研磨する。【００５３】  下側の櫛刃３２の研磨において、作業者から見て左側の刃面３２ｂを研磨する場合にも、研磨ディスクＤを傾斜の向きをこのままにして、研磨ディスクＤの上面の研磨面Ｄｂをこの刃面３２ｂに押し付けて研磨する。また、櫛刃装置３０を上下逆向きにした姿勢で、研磨ディスクＤの下面になる研磨面Ｄａでこの刃面３２ｂを研磨するようにしてもよい。【００５４】  図１１及び図１２に示すように、上側の櫛刃３１の研磨において、作業者から見て左側の刃面３１ｂを研磨する場合には、研磨ディスクＤの傾斜の向きを、この刃面３１ｂの刃先角及び刃角に合う向きに変えて行なう。
この傾斜の調整は、後部側のハンドル付ナット１２のハンドル部１２ａを操作して、アーム部保持部材１１による連結軸８の締結を一旦緩めて、連結軸８とガイド部材２０を前方に移動させて、研磨ディスクＤをガイド部材２０の後方に移動させてから、連結軸８を軸心にして研磨機本体２を逆向きに傾斜させ、その後、ハンドル部１２ａを締結方向に操作するという方法で行なう。【００５５】  そして、高速回転する研磨ディスクＤの下面になる研磨面Ｄａを、この刃面３１ｂに押し付けて研磨する。
【図面の簡単な説明】
【００５６】
【図１】本考案実施例による櫛刃用研磨機の使用前の姿勢を示した斜視図である。
【図２】櫛刃用研磨機に装着されている装着装置を装着装置前端部に装着されているガイド部材とともに示した分解斜視図である。
【図３】本発明実施例による櫛刃用研磨機の使用前の姿勢を示した平面図である。
【図４】同じく底面図である。
【図５】同じく正面図である。
【図６】同じく側面断面図である。
【図７】装着装置が左右方向にスライド調整可能であることを示した正面図である。
【図８】装着装置が連結軸を中心に回動可能であることを示した正面図である。
【図９】櫛刃研磨機による櫛刃の片側の刃面を研磨する姿勢を示した平面図である。
【図１０】同じく正面図である。
【図１１】櫛刃研磨機による櫛刃の反対側の刃面を研磨している状態を示した平面図である。
【図１２】同じく正面図である。
【符号の説明】
【００５７】  １    （本考案実施例による）櫛刃用研磨機
Ｍ    電動モータ
Ｄ    研磨ディスク
Ｄａ  （研磨ディスク下面の）研磨面
Ｄｂ  （研磨ディスク上面の）研磨面
２Ａ  電動モータ装置
２    研磨機本体
２ａ  ケース部
３    出力軸
４    装着冶具
５    装着装置
６    カバー
７    レール
７ａ  底板面
７ｂ  立設面
７ｃ  長孔
８    連結軸
９    取付台
９ａ  ボルト部
１１    アーム部保持部材
１１ａ  連結軸保持部
１１ｃ，１１ｄ  上下面
１１ｅ，１１ｅ  ボルト孔
１２    ハンドル付ナット
１２ａ  ハンドル部
１３    ボルト
１４    ハンドル付ナット
１４ａ  ハンドル部
１５    ねじ
２０    ガイド部材
２１    下板面
２１ｂ  ボルト挿入孔
２１ｃ  リブ
２２Ｌ，２２Ｒ  背板面
２２ａ  空間部
２３Ｒ，２３Ｌ  ガイド面
２３ａ  窓
３０    櫛刃装置
３１    （上部側の）櫛刃
３１ａ、３１ｂ  刃面
３２    （下部側の）櫛刃
３２ａ，３２ｂ  刃面
Ｒ１  刃先角
Ｒ２  刃角
【図１】
0003125402.tif 000003
【図２】
0003125402.tif 000004
【図３】
0003125402.tif 000005
【図４】
0003125402.tif 000006
【図５】
0003125402.tif 000007
【図６】
0003125402.tif 000008
【図７】
0003125402.tif 000009
【図８】
0003125402.tif 000010
【図９】
0003125402.tif 000011
【図１０】
0003125402.tif 000012
【図１１】
0003125402.tif 000013
【図１２】
0003125402.tif 000014